(57)【要約】【課題】      釣り具の位置や角度が大きく変更可能な釣り具の保持装置を提供することである。【解決手段】  コ字形の万力台１に円弧状のレ−ル部１ｃが形成されてレ−ル部１ｃに移動自在に取り付けられた釣り具１０を保持する保持部Ａと、保持部Ａに設けられたレ−ル部１ｃを締め付ける操作部Ｂとで構成されている。  保持部Ａはホルダ−２と２つ割りの挾持部３、３からなり、挾持部３、３はレ−ル部１ｃとホルダ−２の球状基部２ｂを挟み込むように２つ割に形成されて挾持部３、３には対向面３ａ、３ａと、球状基部２ｂを両側から挟み込む挾持面３ｄ、３ｄが形成され、対向面３ａ、３ａに円弧状のレ−ル部１ｃの外周両側のＶ状の突部１ｄ、１ｄが嵌まり抜け止めされるＶ状の溝３ｅ、３ｅが形成されている。【選択図】        図３
2009284866.tif 000002
【特許請求の範囲】
【請求項１】
コ字形の万力台の横辺から縦辺にわたるレ−ル部を設け、このレ−ル部に沿って釣り具を保持する保持部を移動自在に取り付けたことを特徴とする釣り具の保持装置。
【請求項２】
保持部にレ−ル部に嵌まる溝を設け、保持部にレ−ル部を締め付ける操作部を設けたことを特徴とする請求項１記載の釣り具の保持装置。
【発明の詳細な説明】
【技術分野】
【０００１】
本発明は、釣りでパラソル等の釣り具を保持する釣り具の保持装置に関する。
【背景技術】
【０００２】
従来特許文献１、特許文献２のように釣りでパラソルなどの釣り具を保持する保持装置として、万力状の台部に球体が嵌まる球状の凹部を設けて球体にパラソルの柄が嵌合取り付けられる筒部を設けている。
筒部は球体の中心を芯にして回動出来るが、球体の位置が変更出来ないので、パラソルの位置や角度を変更出来る範囲が狭い欠点がある。
【特許文献１】特開２０００−２３７２１号公報
【特許文献２】特開２００６−１８７２３６号公報
【発明の開示】
【発明が解決しようとする課題】
【０００３】
解決しようとする問題点は、万力状の台部に取り付けた釣り具の位置や角度が大きく変更出来ないことである。
【０００４】
本発明の目的は前記欠点に鑑み、万力状の台部に取り付けた釣り具の位置や角度が大きく変更可能な釣り具の保持装置を提供することである。
【課題を解決するための手段】
【０００５】
本発明の請求項１は、コ字形の万力台の横辺から縦辺にわたるレ−ル部を設け、このレ−ル部が保持部の溝に嵌まってレ−ル部に沿って釣り具を保持する保持部を移動自在に取り付けたことを要旨とするものである。
本発明の請求項２は、保持部にレ−ル部に嵌まる溝を設け、保持部にレ−ル部を締め付ける操作部を設けたことを要旨とするものである。
【発明の効果】
【０００６】
本発明の請求項により、コ字形の万力台の横辺から縦辺にわたる円弧状のレ−ル部が保持部Ａの溝に嵌まってレ−ル部に沿って保持部が横辺側から縦辺側に移動自在で、更に操作部の操作で保持部に保持されたホルダ−の向きを変えることで釣り具ホルダ−部と釣り具の角度が変えられて広い範囲で釣り具の位置と角度が変えられることになる。
【発明を実施するための最良の形態】
【０００７】
釣り具の保持装置は、コ字形の万力台１と、万力台１に横辺１ａから縦辺１ｂにわたる円弧状のレ−ル部１ｃが形成されてレ−ル部１ｃに移動自在に取り付けられた釣り具１０を保持する保持部Ａとで構成されている。
保持部Ａはレ−ル部１ｃを締め付ける操作部Ｂを有している。
円弧状のレ−ル部１ｃの外周の両側にはＶ状の突部１ｄ、１ｄが形成されている。
釣り具１０を保持する保持部Ａはホルダ−２と２つ割りの挾持部３、３からなっている。
ホルダ−２は釣り具ホルダ−部２ａと球状基部２ｂが一体に形成されている。
釣り具ホルダ−部２ａに釣用パラソルからなる釣り具１０の軸Ｊが着脱自在に取り付けられる。
挾持部３はレ−ル部１ｃとホルダ−２の球状基部２ｂを挟み込むように２つ割に形成された挾持片３−１、３−２からなり操作部Ｂの螺子部１１で合体されている。
挾持部３には図２（ｂ）から図２（ｄ）のように挾持片３−１、３−２それぞれ左右両側に形成された対向面３ａ、３ａと、内側の凹部３ｂ、３ｂと、筒部３ｃ、３ｃと、図２（ｃ）、図２（ｄ）、図３のように上側に球状基部２ｂを両側から挟み込む凹状の挾持面３ｄ、３ｄが形成され、挾持片３−１、３−２のそれぞれの対向面３ａ、３ａの下側に円弧状のレ−ル部１ｃの係合部Ｋが形成され、この係合部Ｋにはレ−ル部１ｃの上部両側のＶ状の抜け止めのための突部１ｄ、１ｄが嵌まるＶ状の溝３ｅ、３ｅが形成されている。
【実施例１】
【０００８】
以下、図示の実施例によって本発明を説明すると、図１、図２は第１実施例で図１は釣り具の保持装置の正面図、図２は釣り具の保持装置の拡大要部で（ａ）は外観正面図で（ｂ）は外観側面図で（ｃ）は保持部内のホルダ−断面正面図で（ｄ）は保持部内の正面図、図３は釣り具の保持装置の要部拡大断面側面図である。
【０００９】
釣り具の保持装置は、横辺１ａとこの横辺１ａの両側から互いに向かい合うように突出する縦辺１ｂを有するコ字形の万力台１を有し、万力台１に横辺１ａから縦辺１ｂにわたって連続的に円弧状に延設されたレ−ル部１ｃが形成されこのレ−ル部１ｃにこのレ−ル部１ｃに沿って移動自在に取り付けられた釣り具１０を保持する保持部Ａを有し、レ−ル部１ｃに移動自在に取り付けた保持部Ａでレ−ル部１ｃを締め付けて保持部Ａをレ−ル部１ｃに止着して位置決めする操作部Ｂとで構成されている。
円弧状のレ−ル部１ｃの上部の外周の両側にはＶ状の突部１ｄ、１ｄが形成されている。
釣り具１０を保持する保持部Ａはホルダ−２と挾持部３からなっている。
挾持部３は２つ割りされて一対の挾持片３−１、３−２からなっている。
ホルダ−２は釣り具ホルダ−部２ａと球状基部２ｂが一体に形成されている。
釣り具ホルダ−部２ａは釣り具１０の軸Ｊ等を嵌合して保持するための孔２ｃを有し、この孔２ｃに釣用パラソルからなる釣り具１０の軸Ｊが差し込まれて着脱自在に取り付けられる。
挾持部３はレ−ル部１ｃとホルダ−２の球状基部２ｂを挟み込むように挾持片３−１、３−２の２つ割に形成されてレバ−状の操作部Ｂの回動操作で挾持片３−１、３−２の筒部３ｃ、３ｃの挿通孔３ｇ、３ｇに螺合した螺子部１１で合体されている。
【００１０】
挾持部３には図２（ｂ）から図２（ｄ）のように対向面３ａ、３ａと、挾持部３内側の下側に形成された凹部３ｂ、３ｂと、螺子部１１が挿通つれて螺合された筒部３ｃ、３ｃと、図２（ｃ）、図２（ｄ）、図３のように挾持片３−１、３−２の内側の上側に球状基部２ｂを両側から挟み込む凹状の挾持面３ｄ、３ｄが形成され、対向面３ａ、３ａに円弧状のレ−ル部１ｃが差し込まれて挾持される係合部Ｋが形成され、係合部Ｋにはレ−ル部１ｃの上部両側のＶ状の突部１ｄ、１ｄが嵌まるＶ状の溝３ｅ、３ｅが形成されている。
挾持部３、３の対向する対向面３ａ、３ａ間はレ−ル部１ｃの基部の厚さに合わせて図２（ｂ）のように幅広く形成してもよいし、またさらに広くして対向面３ａ、３ａにレ−ル部が収まる凹部を形成してもよく、また幅狭く形成して上半分に釣り具ホルダ−部２ａの基部が挿入可能なＵ字溝を設けてもよい。
図２（ａ）のように挾持部３、３の正面側に釣り具ホルダ−部２ａの基部が挿入可能なＵ字溝３ｆを設けてもよい。
挾持部３の外側の操作部Ｂの螺子部１１には操作レバ−１２が取り付けられている。
操作レバ−１２を回して、螺子部１１を回動すると螺子部１１が螺合した挾持片３−１、３−２が互いに接近する方向に移動し、ホルダ−２とレ−ル部１ｃが両者共に締め付け止着される。
釣り具１０は竿掛けや餌箱等でもよく、これらに軸を釣り具ホルダ−部２ａの孔２ｃに差し込んで取り付けてもよい。
【００１１】
釣り具の保持装置が使用される時は、支持体の縁４にコ字形の万力台１が取り付けられ、円弧状のレ−ル部１ｃに釣り具１０を保持する保持部Ａが移動自在に取り付けられ、レ−ル部１ｃを保持部Ａの対向面３ａ、３ａの挾持部Ｋで挟み、レ−ル部１ｃの外周両側のＶ状の突部１ｄ、１ｄを溝３ｅ、３ｅに嵌め込んで抜け止めし、ホルダ−２の球状基部２ｂを挾持面３ｄ、３ｄで挟み込んで保持し、操作部Ｂの操作レバ−１２の操作でレ−ル部１ｃとホルダ−２の球状基部２ｂが共に締め付けられ止着され、位置決めされる。
釣り具１０の角度のみ変更する時には、ホルダ−２の釣り具ホルダ−部２ａを握って操作レバ−１２を緩めて所望の角度に釣り具１０を変えて操作レバ−１２で締め付けられる。
保持部Ａの位置を変える時には、保持部Ａの挾持部３、３を握って操作レバ−１２を緩めて万力台１の横辺１ａから縦辺１ｂ側のいずれかの所望の位置に保持部Ａを変えて操作レバ−１２で締め付けられ横辺１ａからその上方に向けたり、縦辺１ｂからその上方に向けたり、両者の中間の斜め方向に向けるなど保持部Ａの方向をかえることができる。
【００１２】
前記のように釣り具の保持装置が構成されると、コ字形の万力台１の横辺１ａから縦辺１ｂにわたる円弧状のレ−ル部１ｃが保持部Ａの挾持部Ｋで挾持されながら溝３ｅ、３ｅに嵌まってレ−ル部１ｃに沿って保持部Ａが万力台１の横辺１ａ側から縦辺１ｂ側に移動自在で位置と角度が変えられ、更に操作部Ｂの操作レバ−１２の操作で保持部Ａに保持されたホルダ−２を締め付けたり締め付けを解除して向きを変えることで釣り具ホルダ−部２ａと釣り具１０の角度が変えられて広い範囲で釣り具１０の位置と角度が変えられることになる。
【実施例２】
【００１３】
図４は第２実施例で図４は釣り具の保持装置の断面側面図である。
【００１４】
第２実施例で釣り具の保持装置は、保持部Ａ′が釣り具１０の軸Ｊを嵌合し保持する孔２ｃ′を有する一体の釣り具ホルダ−部２ａ′と挾持部３′で構成されると共に保持部Ａ′がその下方に凹状の係合部Ｋ′を有し、コ字形の万力台１の横辺１ａから縦辺１ｂにわたる円弧状のレ−ル部１ｃを係合部Ｋ′に差し入れて保持部Ａ′をこのレ−ル部１ｃに沿って移動自在に取り付けられて位置変更が可能で、操作部Ｂの操作レバ−１２の操作で保持部Ａ′に螺合してその外側から内側に貫通して設けた螺子部１１を回して螺子部１１をレ−ル部１ｃに当接させてレ−ル部１ｃが締め付けられて位置が固定される。
他の構成は前記第１実施例と略同一である。
【産業上の利用可能性】
【００１５】
本発明は釣り具の保持装置全般に利用できる。
【図面の簡単な説明】
【００１６】
【図１】第１実施例で釣り具の保持装置の正面図である。
【図２】同釣り具の保持装置の拡大要部で（ａ）は外観正面図で（ｂ）は外観側面図で（ｃ）は保持部内のホルダ−断面正面図で（ｄ）は保持部内の正面図である。
【図３】同釣り具の保持装置の要部拡大断面側面図である。
【図４】第２実施例で釣り具の保持装置の断面側面図である。
【符号の説明】
【００１７】
１  コ字形の万力台
１ａ  横辺
１ｂ  縦辺
１ｃ  レ−ル部
２、２ｃ′  ホルダ−
３、３′  挾持部
３ｅ  溝
１０  釣り具
Ａ、Ａ′  保持部
Ｂ  操作部
【図１】
2009284866.tif 000003
【図２】
2009284866.tif 000004
【図３】
2009284866.tif 000005
【図４】
2009284866.tif 000006